(57)【要約】【課題】プレキュアトレッドを保管するにあたり、プレキュアトレッドの端部における変形を防止することのできるプレキュアトレッド用収納ケースを提案する。【解決手段】このプレキュアトレッド用収納ケース１は、円環状に形成された更生タイヤ用のプレキュアトレッド３を内部に収納するプレキュアトレッド用収納ケース１であって、収納されるプレキュアトレッド３の外径Ｒ１以上の内径Ｒ２を有し、かつ該プレキュアトレッド３の最大幅Ｗよりも軸心Ｓ２方向に沿う長さＬが大きい円筒体７と、円筒体７に設けられ、該円筒体７の半径方向内側に配置されるプレキュアトレッド７の幅方向断面における最下端位置Ｐ１が円筒体７の下端Ｑ１位置よりも上方に位置する状態に、該プレキュアトレッド３のクラウン部を保持する保持手段９と、を備える。【選択図】図１
2011051636.tif 000002
【特許請求の範囲】
【請求項１】
円環状に形成された更生タイヤ用のプレキュアトレッドを内部に収納するプレキュアトレッド用収納ケースであって、
収納されるプレキュアトレッドの外径以上の内径を有し、かつ該プレキュアトレッドの最大幅よりも軸心方向に沿う長さが大きい円筒体と、
前記円筒体に設けられ、該円筒体の半径方向内側に配置されるプレキュアトレッドの幅方向断面における最下端位置が円筒体の下端位置よりも上方に位置する状態に、該プレキュアトレッドのクラウン部を保持する保持手段と、を備えることを特徴とするプレキュアトレッド用収納ケース。
【請求項２】
前記保持手段は、前記円筒体に配置されたマグネットと、プレキュアトレッドの収納時に該プレキュアトレッドのクラウン部の内周面側に配置される磁性の金属片とからなる、請求項１に記載のプレキュアトレッド用収納ケース。
【請求項３】
前記マグネットは、電磁石である、請求項２に記載のプレキュアトレッド用収納ケース。
【請求項４】
前記保持手段は、前記円筒体の半径方向内側に配置されるプレキュアトレッドのクラウン部の外周面を真空吸着する真空吸着器具である、請求項１に記載のプレキュアトレッド用収納ケース。
【請求項５】
前記円筒体にその周長を可変とする周長調整機構を設けた、請求項１〜４の何れか一項に記載のプレキュアトレッド用収納ケース。
【請求項６】
前記プレキュアトレッド用収納ケースは、前記円筒体の下端に連設された底板を備える、請求項１〜５の何れか一項に記載のプレキュアトレッド用収納ケース。
【発明の詳細な説明】
【技術分野】
【０００１】
この発明は、円環状に形成された更生タイヤ用のプレキュアトレッドを内部に収納するプレキュアトレッド用収納ケースに関し、特に、収納時におけるプレキュアトレッドの変形を防止しようとするものである。
【背景技術】
【０００２】
近年の省資源化やCO２排出削減等のため、使用済みのタイヤは、使用に伴って摩耗したトレッド部分を取り除き、新たにトレッドゴムを加硫、圧着して、再び更生タイヤとして再利用されるようになってきている。かかる更生タイヤの製造方式には、大きく分類して２種類ある。第１には、トレッドパターンが付されていない未加硫のトレッドゴムを台タイヤに貼り付け、金型に入れて加硫するとともに溝を形成するリモールド更生方式（ホット更生方式）であり、第２には、あらかじめ加硫され溝が形成されているトレッドゴム、すなわちプレキュアトレッドを台タイヤに貼り付け、再度加硫缶内で加硫するプレキュア更生方式（コールド更生方式）（例えば、特許文献１）である。
【０００３】
プレキュア更生方式は、リモールド更生方式と比べて加硫温度が低いので台タイヤを傷める度合いが少なく、また特別な金型等も必要ないためタイヤの更生においてはこの方式が広く採用されている。
【０００４】
ところで、プレキュア更生方式に用いられるプレキュアトレッドは、リモールド更生方式とは異なり台タイヤへの貼付けとは別工程で成形されるため、プレキュアトレッドの成形から台タイヤへの貼付けまでの間にタイムラグが生じる場合や、プレキュアトレッドの成形場所と貼付け場所とが異なる場合がある。このような場合、従来では、予め成形したプレキュアトレッドを台タイヤへの貼付けまでの間一時的に保管していたが、プレキュアトレッドの保管は、図４（ａ）に示すように、成形されたプレキュアトレッド３を単にパレット５上に直置きして行っていた。
【先行技術文献】
【特許文献】
【０００５】
【特許文献１】特開２００７−２０３６８４号公報
【発明の概要】
【発明が解決しようとする課題】
【０００６】
ところが、プレキュアトレッド３をパレット５上に直置きした場合、プレキュアトレッド３の保管時間が長くなると、図４（ｂ）に示すように、プレキュアトレッド３の、パレッドに接する側の端部３ｅがその自重により押し潰されてクリープ変形するという問題があった。特に、プレキュアトレッド３の形状として、サイドウォールの外観向上及びトレッド幅拡大を狙ってウイング３ｗ付きのプレキュアトレッドを採用した場合、かかるウイング３ｗは比較的薄肉であるためプレキュアトレッド３の端部３ｅにおける変形はより顕著なものとなる。このようなプレキュアトレッド３の端部３ｅにおける変形は、台タイヤとの均一な密着性を失わせエア入りの原因にもなる。
【０００７】
それゆえこの発明は、プレキュアトレッドを保管するにあたり、プレキュアトレッドの端部における変形を防止することのできるプレキュアトレッド用収納ケースを提案することをその目的とする。
【課題を解決するための手段】
【０００８】
上記課題を解決するため、この発明のプレキュアトレッド用収納ケースは、円環状に形成された更生タイヤ用のプレキュアトレッドを内部に収納するプレキュアトレッド用収納ケースであって、収納されるプレキュアトレッドの外径以上の内径を有し、かつ該プレキュアトレッドの最大幅よりも軸心方向に沿う長さが大きい円筒体と、前記円筒体に設けられ、該円筒体の半径方向内側に配置されるプレキュアトレッドの幅方向断面における最下端位置が円筒体の下端位置よりも上方に位置する状態に、該プレキュアトレッドのクラウン部を保持する保持手段と、を備えることを特徴とするものである。
【０００９】
かかる構成のプレキュアトレッド用収納ケースにあっては、プレキュアトレッドは、円筒体の半径方向内側に区画される空間内に横たわって配置され、すなわちプレキュアトレッドの軸心が円筒体の軸心に実質沿って配置され、円筒体に設けられた保持手段が、プレキュアトレッドの幅方向断面における最下端位置が円筒体の下端位置よりも上方に位置する状態に、プレキュアトレッドのクラウン部を保持する。
【００１０】
したがって、この発明のプレキュアトレッド用収納ケースによれば、プレキュアトレッドの幅方向断面における最下端位置が円筒体の下端位置よりも上方に位置する状態でプレキュアトレッドを保持することができので、すなわちプレキュアトレッドの上記最下端を収納ケースの載置面から浮かせた状態でプレキュアトレッドを収納することができるので、プレキュアトレッドをその自重の影響を受けることなく収納してプレキュアトレッドの端部の変形を防止することができる。
【００１１】
なお、この発明のプレキュアトレッド用収納ケースにあっては、保持手段を、円筒体に配置されたマグネットと、プレキュアトレッドの収納時に該プレキュアトレッドのクラウン部の内周面側に配置される磁性の金属片とから構成することが好ましい。特に、マグネットは、電磁石であることが好ましい。
【００１２】
あるいは、この発明のプレキュアトレッド用収納ケースにあっては、保持手段を、円筒体の半径方向内側に配置されるプレキュアトレッドのクラウン部の外周面を吸着する真空吸着器具で構成することが好ましい。
【００１３】
また、この発明のプレキュアトレッド用収納ケースにあっては、円筒体にその周長を可変とする周長調整機構を設けることが好ましい。
【００１４】
しかも、この発明のプレキュアトレッド用収納ケースにあっては、プレキュアトレッド用収納ケースは、円筒体の下端に連設された底板を備えることが好ましい。
【発明の効果】
【００１５】
この発明によれば、プレキュアトレッドを保管するにあたり、プレキュアトレッドの端部における変形を防止することのできるプレキュアトレッド用収納ケースを提案することができる。
【図面の簡単な説明】
【００１６】
【図１】この発明に従う実施形態のプレキュアトレッド用収納ケースを、内部にプレキュアトレッドを収納した状態で示した図であり、（ａ）は斜視図、（ｂ）は図１（ａ）中のＡ−Ａ線に沿う断面図である。
【図２】この発明に従う他の実施形態の収納ケースを示す図であり、（ａ）は斜視図、（ｂ）は図２（ａ）中のＢ−Ｂ線に沿う断面図である。
【図３】この発明のさらに他の実施形態の収納ケースを、図１（ｂ）の断面図と同様の断面で示した断面図である。
【図４】従来のプレキュアトレッドの保管方法を示した図である。
【発明を実施するための形態】
【００１７】
以下、この発明の実施の形態を図面を参照して説明する。ここに、図１は、この発明に従う実施形態のプレキュアトレッド用収納ケース（以下、単に「収納ケース」という）を、内部にプレキュアトレッドを収納した状態で示した図であり、（ａ）は斜視図、（ｂ）は図１（ａ）中のＡ−Ａ線に沿う断面図である。
【００１８】
図１に示すように、この収納ケース１は、円環状に形成された更生タイヤ用のプレキュアトレッド３を内部に収納した状態にて、既知のパレット５等の上に載置される。収納ケース１は、所定の剛性が保たれた円筒形状の円筒体７とこの円筒体７の外周面に設けられた４つのマグネット９とを備える。
【００１９】
円筒体７は、ステンレスやアルミニウム等の金属材料の他、樹脂材料を用いることができ、ここでは矩形状に裁断したアルミニウム製の板部材の両側部を接合して円筒状に形成されている。円筒体７は、収納されるプレキュアトレッド３の外径Ｒ１以上の内径Ｒ２を有し、かつプレキュアトレッド３の最大幅Ｗよりも円筒体７の軸心方向Ｓ２に沿う長さＬが大きい。ここでいう「プレキュアトレッドの最大幅」とは、プレキュアトレッド３の軸心Ｓ１方向を重力方向と一致させたときの、プレキュアトレッド３の最下端Ｐ１位置から最上端Ｐ２位置までの距離を意味する。
【００２０】
各マグネット９は、円筒体７の外周面に等間隔に配置されるとともに、円筒体７の軸心方向Ｓ２（高さ方向）の略中央に位置している。マグネット９は、永久磁石にて構成され、この永久磁石の磁力にてプレキュアトレッド３の内周面に配置される磁性の金属片１１を吸着することができるようになっている。なお、マグネット９は、上記永久磁石の他に、電磁石を用いることもでき、この場合においては、電磁石の磁力のＯＮ／ＯＦＦは別途設けられたスイッチ又は制御手段（何れも図示せず）からの指令に基づいて行なわれる。電磁石を用いた場合には、磁力のＯＮ／ＯＦＦにより、収納ケース１内のプレキュアトレッド３の吸着、開放を行うことができ、プレキュアトレッド３の収納、取出し作業が容易となる。この実施形態において、マグネット９及び金属片１１は保持手段を構成する。なお、金属片１１は、プレキュアトレッド３を収納していない状態では、マグネット１１に直接吸着させておくことができる。
【００２１】
かかる構成の収納ケース１にあっては、プレキュアトレッド３は、円筒体７の半径方向内側に区画される空間内に横たわって配置され、すなわちプレキュアトレッド３の軸心Ｓ１が円筒体７の軸心Ｓ２に実質沿って配置され、円筒体７に設けられたマグネット９が、プレキュアトレッド３の内周面に配置される金属片１１との協働の下、プレキュアトレッド３の幅方向断面における最下端位置Ｐ１が円筒体７の下端Ｑ１位置よりも上方に位置する状態に、プレキュアトレッド３のクラウン部を保持する。
【００２２】
したがって、この収納ケース１によれば、プレキュアトレッド３の幅方向断面における最下端Ｐ１位置が円筒体７の下端Ｑ１位置よりも上方に位置する状態でプレキュアトレッド３を保持することができるので、すなわちプレキュアトレッド３の上記最下端Ｐ１を収納ケース１の載置面（例えばパレッド５の表面）から浮かせた状態でプレキュアトレッド３を収納することができるので、プレキュアトレッド３をその自重の影響を受けることなく収納してプレキュアトレッド３の端部の変形を防止することができる。
【００２３】
次いで、この発明の他の実施形態について図２を参照して説明する。ここに図２は、この発明に従う他の実施形態の収納ケースを示す図であり、（ａ）は斜視図、（ｂ）は図２（ａ）中のＢ−Ｂ線に沿う断面図である。なお、先で説明した実施形態の収納ケースと同様の部材には同一の符号を付し、その説明を省略する。
【００２４】
この実施形態においては、円筒体７を構成する矩形状に裁断したアルミニウム製の板部材の両側部は接合されておらず、これらの両側部を半径方向上下に相互に重ね合わせ、その重複部分Ｚを増減することにより円筒体７の周長を変化させることができる。また、上記重複部分Ｚには、円筒体７を所望の周長にて保持、固定する周長調整機構としての固定治具１３が配置されている。ここでは固定治具１３は、重複部分Ｚにて重ね合わされた二枚の部材を挟み込む断面コ字形状の一対のブラケット１５と、各ブラケット１５に挟み込まれた二枚の板部材をブラケット１５の一側壁内面に押し当てる一対の締付ネジ１７とから構成される。
【００２５】
かかる実施形態の収納ケースによれば、円筒体７の周長を可変とすることができるので、同一の収納ケース１を用いて異なるサイズのプレキュアトレッド３を収納することが可能となり、多品種少ロッドのプレキュアトレッド３の保管に特に適している。
【００２６】
図３は、この発明のさらに他の実施形態の収納ケースを示している。この例では、保持手段として、プレキュアトレッド３のクラウン部の外周面を真空吸着する真空吸着器具１９にて構成したものである。真空吸着器具１９は、図示しない真空源に通じる連通管２１と、この連通管２１の末端に接続された真空吸着カップ２３とを備えている。真空吸着カップ２３は、プレキュアトレッド３のクラウン部と対向する、円筒体７の軸心Ｓ２方向でみて中央位置に配置されている。真空源は、図示しないスイッチ又は制御手段によりＯＮ／ＯＦＦ可能に構成されており、真空吸着カップ２３の真空度は図示しない圧力調整弁により調整可能に構成されている。さらに、真空吸着カップ２３と連通管２１とは着脱可能に構成しても良い。
【００２７】
この実施形態の収納ケース１によれば、図１、２に示した実施形態とは異なり、プレキュアトレッド３のクラウン部の内周面に磁性の金属片１１を配置する手間が省けるため、プレキュアトレッド３の収納、取出し作業をより容易に行うことができる。
【００２８】
以上、図示例に基づき説明したが、この発明は上述の実施形態に限定されるものでなく、特許請求の範囲の記載範囲内で適宜変更することができるものであり、例えば、図示は省略するが、円筒体の下端には底板を連設しても良く、このようにすれば、複数の収納ケースを上下に積み重ね易くすることができるので保管上有利である。同様に、円筒体の上端には蓋板を開閉可能に連設しても良く、このようにすれば、収納ケース内への埃等の侵入を防止することができる。さらに、円筒体の外周面には取っ手を設けることもでき、これによれば、収納ケースの取扱い性を向上させることができる。
【産業上の利用可能性】
【００２９】
かくしてこの発明により、プレキュアトレッドを保管するにあたり、プレキュアトレッドの端部における変形を防止することのできるプレキュアトレッド用収納ケースを提供することが可能となった。
【符号の説明】
【００３０】
１  収納ケース
７  円筒体
９  マグネット
１１  金属片
１３  固定治具
１９  真空吸着器具
２１  連通管
２３  真空吸着カップ
【図１】
2011051636.tif 000003
【図２】
2011051636.tif 000004
【図３】
2011051636.tif 000005
【図４】
2011051636.tif 000006